(57)【要約】【課題】低コスト且つ監視対象装置の変更に対して柔軟性の高い遠隔監視制御システム、監視対象制御装置及び通信端末を提供する。【解決手段】監視対象制御装置は、監視対象装置に対応する接続先の監視装置のＩＰアドレス及びポート番号を監視対象装置の種類に応じて予め記憶する接続情報記憶手段と、コマンドによって通信端末を制御すると共に監視対象装置の監視データを出力する第１の制御手段とを備え、通信端末は、通信手段と、監視データをＴＣＰ／ＩＰプロトコル群に準拠した監視データに変換するプロトコル変換手段と、コマンドに基づいて通信に関わる処理を行うと共に監視データを監視装置に送信する第２の制御手段とを備え、第１の制御手段は、監視対象装置の種類に応じた接続先のＩＰアドレス及びポート番号を指定してＩＰ接続を指示するための第１の拡張ＡＴコマンドを使用する。【選択図】図１
2008136053.tif 000002
【特許請求の範囲】
【請求項１】
監視対象装置と、公衆電話回線網を介してＩＰ（Internet Protocol）網に接続され、前記監視対象装置を遠隔監視する監視サーバと、前記公衆電話回線網及びＩＰ網を介して前記監視サーバとの通信を行う通信端末と、前記監視対象装置の監視データを前記通信端末を介して前記監視サーバに送信する監視対象制御装置とを備えた遠隔監視制御システムであって、
前記監視対象制御装置は、
前記監視対象装置に対応する接続先の監視サーバのＩＰアドレス及びポート番号を、前記監視対象装置の種類に応じて記憶する接続情報記憶手段と、
コマンドによって前記通信端末を制御すると共に前記監視対象装置の監視データを無手順で出力する第１の制御手段とを備え、
前記通信端末は、
前記監視サーバとの通信を行う通信手段と、
前記監視対象制御装置から入力される無手順の監視データをＴＣＰ(Transmission Control Protocol)／ＩＰプロトコル群に準拠した監視データに変換するプロトコル変換手段と、
前記コマンドに基づいて前記通信手段を介して前記監視サーバとの通信に関わる処理を行うと共に前記監視データを前記通信手段を介して前記監視サーバに送信する第２の制御手段とを備え、
前記第１の制御手段は、前記接続情報記憶手段から前記監視対象装置の種類に応じた接続先の監視サーバのＩＰアドレス及びポート番号を読み出し、当該ＩＰアドレス及びポート番号を指定して前記監視サーバとのＩＰ接続を指示するための第１の拡張ＡＴコマンドを使用する、
ことを特徴とする遠隔監視制御システム。
【請求項２】
前記第２の制御手段は、コマンドモード、オンラインモード、オンラインコマンドモードの３つの状態を有し、汎用ＡＴコマンドによってコマンドモードからオンラインモードに遷移する場合に、前記通信手段を介して公衆電話回線網に接続されたアクセスポイントとのＰＰＰ（Point-to-Point Protocol）接続を確立し、汎用ＡＴコマンドによってオンラインモードからオンラインコマンドモードに遷移後、前記第１の拡張ＡＴコマンドが入力された場合に、指定されたＩＰアドレス及びポート番号の監視サーバとのＩＰ接続を確立することを特徴とする請求項１記載の遠隔監視制御システム。
【請求項３】
前記第１の制御手段は、公衆電話回線網に接続されたアクセスポイントの電話番号、接続先の監視サーバのＩＰアドレス及びポート番号、遷移先のモードを指定して監視サーバとのＩＰ接続の確立までを指示するための第２の拡張ＡＴコマンドを使用し、
前記第２の制御手段は、コマンドモード、オンラインモード、オンラインコマンドモードの３つの状態を有し、コマンドモード時において、前記第２の拡張ＡＴコマンドが入力された場合、前記アクセスポイントとのＰＰＰ（Point-to-Point Protocol）接続の確立、指定されたＩＰアドレス及びポート番号の監視サーバとのＩＰ接続の確立を行い、指定された遷移先のモードに遷移することを特徴とする請求項１記載の遠隔監視制御システム。
【請求項４】
前記第１の制御手段は、ＨＴＴＰ(Hyper Text Transfer Protocol)コマンド「ＰＯＳＴ」によって前記監視データを前記監視サーバに送信するように指示するための第３の拡張ＡＴコマンドを使用し、
前記第２の制御手段は、ＩＰ接続確立後のオンラインコマンドモードにおいて、前記第３の拡張ＡＴコマンドが入力された場合に、オンラインモードに遷移し、前記プロトコル変換手段から入力される監視データを前記ＨＴＴＰコマンド「ＰＯＳＴ」によって前記監視サーバに送信することを特徴とする請求項２または３に記載の遠隔監視制御システム。
【請求項５】
前記第１の制御手段は、前記監視データにＨＴＴＰヘッダ情報を付加することを指示するための第４の拡張ＡＴコマンドを使用し、
前記第２の制御手段は、ＩＰ接続確立後のオンラインコマンドモードにおいて、前記第３の拡張ＡＴコマンド及び第４の拡張ＡＴコマンドが入力された場合、監視データに前記第４の拡張ＡＴコマンドで指定されるＨＴＴＰヘッダ情報を付加して、前記監視サーバに送信することを特徴とする請求項４記載の遠隔監視制御システム。
【請求項６】
前記監視サーバにアクセスし、前記監視データの閲覧または前記監視対象制御装置への制御情報の送信を行うことが可能な監視サーバアクセス端末を備えることを特徴とする請求項１〜５のいずれか一項に記載の遠隔監視制御システム。
【請求項７】
前記監視サーバアクセス端末は、前記制御情報として前記監視対象装置の種類に応じた接続先の監視サーバのＩＰアドレス及びポート番号を、前記監視サーバを介して前記監視対象制御装置に送信し、
前記監視対象制御装置の第１の制御手段は、前記監視サーバアクセス端末から送信された前記監視対象装置の種類に応じた接続先の監視サーバのＩＰアドレス及びポート番号を、前記接続情報記憶手段に記憶する、
ことを特徴とする請求項６記載の遠隔監視制御システム。
【請求項８】
前記通信端末は、前記公衆電話回線網と無線で接続される無線通信端末であることを特徴とする請求項１〜７のいずれか一項に記載の遠隔監視制御システム。
【請求項９】
前記通信端末は、ＰＨＳ(Personal Handyphone System)端末であることを特徴とする請求項８記載の遠隔監視制御システム。
【請求項１０】
監視対象装置の監視データを、通信端末を用いて、公衆電話回線網を介してＩＰ網に接続された監視サーバに送信する監視対象制御装置であって、
前記監視対象装置に対応する接続先の監視サーバのＩＰアドレス及びポート番号を、前記監視対象装置の種類に応じて記憶する接続情報記憶手段と、
コマンドによって前記通信端末を制御すると共に前記監視対象装置の監視データを前記通信端末に無手順で出力する第１の制御手段とを備え、
前記第１の制御手段は、前記接続情報記憶手段から前記監視対象装置の種類に応じた接続先の監視サーバのＩＰアドレス及びポート番号を読み出し、当該ＩＰアドレス及びポート番号を指定して前記監視サーバとのＩＰ接続を指示するための第１の拡張ＡＴコマンドを使用する、
ことを特徴とする監視対象制御装置。
【請求項１１】
前記第１の制御手段は、汎用ＡＴコマンドによって前記通信端末をコマンドモードからオンラインモードに遷移させて、公衆電話回線網に接続されたアクセスポイントとのＰＰＰ接続を確立させ、汎用ＡＴコマンドによって前記通信端末をオンラインモードからオンラインコマンドモードに遷移させた後、前記第１の拡張ＡＴコマンドを前記通信端末に出力して、指定したＩＰアドレス及びポート番号の監視サーバとのＩＰ接続を確立させることを特徴とする請求項１０記載の監視対象制御装置。
【請求項１２】
前記第１の制御手段は、前記通信端末がコマンドモードの場合に、公衆電話回線網に接続されたアクセスポイントの電話番号、接続先の監視サーバのＩＰアドレス及びポート番号、遷移先のモードを指定して監視サーバとのＩＰ接続の確立までを指示するための第２の拡張ＡＴコマンドを出力することを特徴とする請求項１０記載の監視対象制御装置。
【請求項１３】
前記第１の制御手段は、前記通信端末がＩＰ接続確立後のオンラインコマンドモードの場合に、ＨＴＴＰコマンド「ＰＯＳＴ」によって前記監視データを前記監視サーバに送信するように指示するための第３の拡張ＡＴコマンドを出力することを特徴とする請求項１１または１２に記載の監視対象制御装置。
【請求項１４】
前記第１の制御手段は、前記通信端末がＩＰ接続確立後のオンラインコマンドモードの場合に、前記監視データにＨＴＴＰヘッダ情報を付加することを指示するための第４の拡張ＡＴコマンドを出力することを特徴とする請求項１３記載の監視対象制御装置。
【請求項１５】
第１の制御手段は、前記監視サーバアクセス端末から送信された前記監視対象装置の種類に応じた接続先の監視サーバのＩＰアドレス及びポート番号を、前記接続情報記憶手段に記憶することを特徴とする請求項１０〜１４のいずれか一項に記載の監視対象制御装置。
【請求項１６】
監視対象装置の監視データを、公衆電話回線網を介してＩＰ網に接続された監視サーバに送信する場合に、監視対象制御装置が使用する通信端末であって、
前記監視サーバとの通信を行う通信手段と、
前記監視対象制御装置から入力される無手順の監視データをＴＣＰ／ＩＰプロトコル群に準拠した監視データに変換するプロトコル変換手段と、
前記監視対象制御装置から入力されるコマンドに基づいて前記通信手段を介して前記監視サーバとの通信に関わる処理を行うと共に前記監視データを前記通信手段を介して前記監視サーバに送信する第２の制御手段と、
を備えることを特徴とする通信端末。
【請求項１７】
前記第２の制御手段は、コマンドモード、オンラインモード、オンラインコマンドモードの３つの状態を有し、前記監視対象制御装置から入力される汎用ＡＴコマンドによってコマンドモードからオンラインモードに遷移する場合に、前記通信手段を介して公衆電話回線網に接続されたアクセスポイントとのＰＰＰ（Point-to-Point Protocol）接続を確立し、汎用ＡＴコマンドによってオンラインモードからオンラインコマンドモードに遷移後、前記監視対象制御装置から前記第１の拡張ＡＴコマンドが入力された場合、指定されたＩＰアドレス及びポート番号の監視サーバとのＩＰ接続を確立することを特徴とする請求項１６記載の通信端末。
【請求項１８】
前記第２の制御手段は、コマンドモード、オンラインモード、オンラインコマンドモードの３つの状態を有し、コマンドモード時において、前記監視対象制御装置から前記第２の拡張ＡＴコマンドが入力された場合、前記通信手段を介して公衆電話回線網に接続されたアクセスポイントとのＰＰＰ（Point-to-Point Protocol）接続の確立、指定されたＩＰアドレス及びポート番号の監視サーバとのＩＰ接続の確立を行い、指定された遷移先のモードに遷移することを特徴とする請求項１６記載の通信端末。
【請求項１９】
前記第２の制御手段は、ＩＰ接続確立後のオンラインコマンドモードにおいて、前記監視対象制御装置から前記第３の拡張ＡＴコマンドが入力された場合に、オンラインモードに遷移し、前記プロトコル変換手段から入力される監視データをＨＴＴＰコマンド「ＰＯＳＴ」によって前記監視サーバに送信することを特徴とする請求項１７または１８に記載の通信端末。
【請求項２０】
前記第２の制御手段は、ＩＰ接続確立後のオンラインコマンドモードにおいて、前記第３の拡張ＡＴコマンド及び第４の拡張ＡＴコマンドが入力された場合、監視データに前記第４の拡張ＡＴコマンドで指定されるＨＴＴＰヘッダ情報を付加して、前記監視サーバに送信することを特徴とする請求項１９記載の通信端末。
【請求項２１】
前記公衆電話回線網と無線で接続される無線通信端末であることを特徴とする請求項１６〜２０のいずれか一項に記載の通信端末。
【請求項２２】
ＰＨＳ(Personal Handyphone System)端末であることを特徴とする請求項２１記載の通信端末。
【発明の詳細な説明】
【技術分野】
【０００１】
本発明は、遠隔監視制御システム、監視対象制御装置及び通信端末に関する。
【背景技術】
【０００２】
近年、ＰＨＳ(Personal Handyphone System)や携帯電話機などの無線通信端末を利用して、自動販売機や検針メータなどの監視対象装置の遠隔監視・制御を行う遠隔監視制御システム（テレメタリングシステム）が注目されている。
【０００３】
例えば、下記特許文献１には、任意の情報を監視する被監視制御装置と、この被監視制御装置からの監視データや被監視制御装置への制御データの授受を行う携帯電話端末型の遠隔監視制御装置と、携帯電話網とリンクされるインターネット網と接続されたセンター設備とで構成され、センター設備から携帯電話網及びインターネット網を介して上記の遠隔監視制御装置に所望の制御信号を伝送し、被監視制御装置を制御する遠隔監視制御システムが開示されている。
【０００４】
また、下記特許文献２には、携帯電話機と端末装置（監視対象装置）との間に設けられ、
ＡＴコマンドのプロトコルで自動的に携帯電話機と回線を接続する手段と、携帯電話機と回線を結んだ後に、ＰＰＰで接続認証を確立する手段と、 ＰＰＰで接続認証を確立後に、親局に対してＴＣＰコネクションの確立を行う手段と、ＴＣＰコネクション確立後に端末装置からのデータをＴＣＰ／ＩＰのパケット形式で送信する手段と、親局からＴＣＰ／ＩＰのパケット形式のデータを受信すると、このデータをバイト単位に分割し、該バイト単位のデータを無手順で端末装置に送出する手段とを備える遠隔監視制御装置が開示されている。なお、ＴＣＰ／ＩＰプロトコル群の詳細は、下記非特許文献１を参照されたい。
【特許文献１】特開２００２−３２８８５号公報
【特許文献２】特開２００４−１６６２９５号公報
【非特許文献１】ＴＣＰ／ＩＰ、渡辺郁郎、ナツメ社、ｐ２０８
【発明の開示】
【発明が解決しようとする課題】
【０００５】
しかしながら、上述した特許文献１の技術では、携帯電話網に接続した遠隔監視制御装置と基地局とは、独自のプロトコルで通信するものであり、センター設備の構築工数・コストが大きく、また、維持管理のコストが大きいという問題があった。このため、センター設備の管理者を容易に変更・追加することが困難であった。
【０００６】
また、上述した特許文献２の技術では、遠隔監視制御装置が携帯電話機を介してインターネット網に接続されているセンター側サーバと通信を行う場合、通信先のセンター側サーバを指定するためのＩＰアドレスが固定的であった。そのため、監視対象装置が変わり、管理情報を送信すべきセンター側サーバも変わった場合、メモリに記憶されているＩＰアドレスを書き換える必要があり、監視対象装置及びセンター側サーバの変更に対して柔軟に対応することが困難であった。
【０００７】
本発明は、上述した事情に鑑みてなされたものであり、低コスト且つ監視対象装置の変更に対して柔軟性の高い遠隔監視制御システム、監視対象制御装置及び通信端末を提供することを目的とする。
【課題を解決するための手段】
【０００８】
上記目的を達成するために、本発明では、遠隔監視制御システムに係る第１の解決手段として、監視対象装置と、公衆電話回線網を介してＩＰ（Internet Protocol）網に接続され、前記監視対象装置を遠隔監視する監視サーバと、前記公衆電話回線網及びＩＰ網を介して前記監視サーバとの通信を行う通信端末と、前記監視対象装置の監視データを前記通信端末を介して前記監視サーバに送信する監視対象制御装置とを備えた遠隔監視制御システムであって、前記監視対象制御装置は、前記監視対象装置に対応する接続先の監視サーバのＩＰアドレス及びポート番号を、前記監視対象装置の種類に応じて記憶する接続情報記憶手段と、コマンドによって前記通信端末を制御すると共に前記監視対象装置の監視データを無手順で出力する第１の制御手段とを備え、前記通信端末は、前記監視サーバとの通信を行う通信手段と、前記監視対象制御装置から入力される無手順の監視データをＴＣＰ(Transmission Control Protocol)／ＩＰプロトコル群に準拠した監視データに変換するプロトコル変換手段と、前記コマンドに基づいて前記通信手段を介して前記監視サーバとの通信に関わる処理を行うと共に前記監視データを前記通信手段を介して前記監視サーバに送信する第２の制御手段とを備え、前記第１の制御手段は、前記接続情報記憶手段から前記監視対象装置の種類に応じた接続先の監視サーバのＩＰアドレス及びポート番号を読み出し、当該ＩＰアドレス及びポート番号を指定して前記監視サーバとのＩＰ接続を指示するための第１の拡張ＡＴコマンドを使用することを特徴とする。
【０００９】
また、本発明では、遠隔監視制御システムに係る第２の解決手段として、上記第１の解決手段において、前記第２の制御手段は、コマンドモード、オンラインモード、オンラインコマンドモードの３つの状態を有し、汎用ＡＴコマンドによってコマンドモードからオンラインモードに遷移する場合に、前記通信手段を介して公衆電話回線網に接続されたアクセスポイントとのＰＰＰ（Point-to-Point Protocol）接続を確立し、汎用ＡＴコマンドによってオンラインモードからオンラインコマンドモードに遷移後、前記第１の拡張ＡＴコマンドが入力された場合に、指定されたＩＰアドレス及びポート番号の監視サーバとのＩＰ接続を確立することを特徴とする。
【００１０】
また、本発明では、遠隔監視制御システムに係る第３の解決手段として、上記第１の解決手段において、前記第１の制御手段は、公衆電話回線網に接続されたアクセスポイントの電話番号、接続先の監視サーバのＩＰアドレス及びポート番号、遷移先のモードを指定して監視サーバとのＩＰ接続の確立までを指示するための第２の拡張ＡＴコマンドを使用し、前記第２の制御手段は、コマンドモード、オンラインモード、オンラインコマンドモードの３つの状態を有し、コマンドモード時において、前記第２の拡張ＡＴコマンドが入力された場合、前記アクセスポイントとのＰＰＰ（Point-to-Point Protocol）接続の確立、指定されたＩＰアドレス及びポート番号の監視サーバとのＩＰ接続の確立を行い、指定された遷移先のモードに遷移することを特徴とする。
【００１１】
また、本発明では、遠隔監視制御システムに係る第４の解決手段として、上記第２または第３の解決手段において、前記第１の制御手段は、ＨＴＴＰ(Hyper Text Transfer Protocol)コマンド「ＰＯＳＴ」によって前記監視データを前記監視サーバに送信するように指示するための第３の拡張ＡＴコマンドを使用し、前記第２の制御手段は、ＩＰ接続確立後のオンラインコマンドモードにおいて、前記第３の拡張ＡＴコマンドが入力された場合に、オンラインモードに遷移し、前記プロトコル変換手段から入力される監視データを前記ＨＴＴＰコマンド「ＰＯＳＴ」によって前記監視サーバに送信することを特徴とする。
【００１２】
また、本発明では、遠隔監視制御システムに係る第５の解決手段として、上記第４の解決手段において、前記第１の制御手段は、前記監視データにＨＴＴＰヘッダ情報を付加することを指示するための第４の拡張ＡＴコマンドを使用し、前記第２の制御手段は、ＩＰ接続確立後のオンラインコマンドモードにおいて、前記第３の拡張ＡＴコマンド及び第４の拡張ＡＴコマンドが入力された場合、監視データに前記第４の拡張ＡＴコマンドで指定されるＨＴＴＰヘッダ情報を付加して、前記監視サーバに送信することを特徴とする。
【００１３】
また、本発明では、遠隔監視制御システムに係る第６の解決手段として、上記第１〜第５のいずれかの解決手段において、前記監視サーバにアクセスし、前記監視データの閲覧または前記監視対象制御装置への制御情報の送信を行うことが可能な監視サーバアクセス端末を備えることを特徴とする。
【００１４】
また、本発明では、遠隔監視制御システムに係る第７の解決手段として、上記第６の解決手段において、前記監視サーバアクセス端末は、前記制御情報として前記監視対象装置の種類に応じた接続先の監視サーバのＩＰアドレス及びポート番号を、前記監視サーバを介して前記監視対象制御装置に送信し、前記監視対象制御装置の第１の制御手段は、前記監視サーバアクセス端末から送信された前記監視対象装置の種類に応じた接続先の監視サーバのＩＰアドレス及びポート番号を、前記接続情報記憶手段に記憶することを特徴とする。
【００１５】
また、本発明では、遠隔監視制御システムに係る第８の解決手段として、上記第１〜第７のいずれかの解決手段において、前記通信端末は、前記公衆電話回線網と無線で接続される無線通信端末であることを特徴とする。
【００１６】
また、本発明では、遠隔監視制御システムに係る第９の解決手段として、上記第８の解決手段において、前記通信端末は、ＰＨＳ(Personal Handyphone System)端末であることを特徴とする。
【００１７】
また、本発明では、監視対象制御装置に係る第１の解決手段として、監視対象装置の監視データを、通信端末を用いて、公衆電話回線網を介してＩＰ網に接続された監視サーバに送信する監視対象制御装置であって、前記監視対象装置に対応する接続先の監視サーバのＩＰアドレス及びポート番号を、前記監視対象装置の種類に応じて記憶する接続情報記憶手段と、コマンドによって前記通信端末を制御すると共に前記監視対象装置の監視データを前記通信端末に無手順で出力する第１の制御手段とを備え、前記第１の制御手段は、前記接続情報記憶手段から前記監視対象装置の種類に応じた接続先の監視サーバのＩＰアドレス及びポート番号を読み出し、当該ＩＰアドレス及びポート番号を指定して前記監視サーバとのＩＰ接続を指示するための第１の拡張ＡＴコマンドを使用することを特徴とする。
【００１８】
また、本発明では、監視対象制御装置に係る第２の解決手段として、上記第１の解決手段において、前記第１の制御手段は、汎用ＡＴコマンドによって前記通信端末をコマンドモードからオンラインモードに遷移させて、公衆電話回線網に接続されたアクセスポイントとのＰＰＰ接続を確立させ、汎用ＡＴコマンドによって前記通信端末をオンラインモードからオンラインコマンドモードに遷移させた後、前記第１の拡張ＡＴコマンドを前記通信端末に出力して、指定したＩＰアドレス及びポート番号の監視サーバとのＩＰ接続を確立させることを特徴とする。
【００１９】
また、本発明では、監視対象制御装置に係る第３の解決手段として、上記第１の解決手段において、前記第１の制御手段は、前記通信端末がコマンドモードの場合に、公衆電話回線網に接続されたアクセスポイントの電話番号、接続先の監視サーバのＩＰアドレス及びポート番号、遷移先のモードを指定して監視サーバとのＩＰ接続の確立までを指示するための第２の拡張ＡＴコマンドを出力することを特徴とする。
【００２０】
また、本発明では、監視対象制御装置に係る第４の解決手段として、上記第２または第３の解決手段において、前記第１の制御手段は、前記通信端末がＩＰ接続確立後のオンラインコマンドモードの場合に、ＨＴＴＰコマンド「ＰＯＳＴ」によって前記監視データを前記監視サーバに送信するように指示するための第３の拡張ＡＴコマンドを出力することを特徴とする。
【００２１】
また、本発明では、監視対象制御装置に係る第５の解決手段として、上記第４の解決手段において、前記第１の制御手段は、前記通信端末がＩＰ接続確立後のオンラインコマンドモードの場合に、前記監視データにＨＴＴＰヘッダ情報を付加することを指示するための第４の拡張ＡＴコマンドを出力することを特徴とする。
【００２２】
また、本発明では、監視対象制御装置に係る第６の解決手段として、上記第１〜第５のいずれかの解決手段において、第１の制御手段は、前記監視サーバアクセス端末から送信された前記監視対象装置の種類に応じた接続先の監視サーバのＩＰアドレス及びポート番号を、前記接続情報記憶手段に記憶することを特徴とする。
【００２３】
さらに、本発明では、通信端末に係る第１の解決手段として、監視対象装置の監視データを、公衆電話回線網を介してＩＰ網に接続された監視サーバに送信する場合に、監視対象制御装置が使用する通信端末であって、前記監視サーバとの通信を行う通信手段と、前記監視対象制御装置から入力される無手順の監視データをＴＣＰ／ＩＰプロトコル群に準拠した監視データに変換するプロトコル変換手段と、前記監視対象制御装置から入力されるコマンドに基づいて前記通信手段を介して前記監視サーバとの通信に関わる処理を行うと共に前記監視データを前記通信手段を介して前記監視サーバに送信する第２の制御手段とを備えることを特徴とする。
【００２４】
また、本発明では、通信端末に係る第２の解決手段として、上記第１の解決手段において、前記第２の制御手段は、コマンドモード、オンラインモード、オンラインコマンドモードの３つの状態を有し、前記監視対象制御装置から入力される汎用ＡＴコマンドによってコマンドモードからオンラインモードに遷移する場合に、前記通信手段を介して公衆電話回線網に接続されたアクセスポイントとのＰＰＰ（Point-to-Point Protocol）接続を確立し、汎用ＡＴコマンドによってオンラインモードからオンラインコマンドモードに遷移後、前記監視対象制御装置から前記第１の拡張ＡＴコマンドが入力された場合、指定されたＩＰアドレス及びポート番号の監視サーバとのＩＰ接続を確立することを特徴とする。
【００２５】
また、本発明では、通信端末に係る第３の解決手段として、上記第１の解決手段において、前記第２の制御手段は、コマンドモード、オンラインモード、オンラインコマンドモードの３つの状態を有し、コマンドモード時において、前記監視対象制御装置から前記第２の拡張ＡＴコマンドが入力された場合、前記通信手段を介して公衆電話回線網に接続されたアクセスポイントとのＰＰＰ（Point-to-Point Protocol）接続の確立、指定されたＩＰアドレス及びポート番号の監視サーバとのＩＰ接続の確立を行い、指定された遷移先のモードに遷移することを特徴とする。
【００２６】
また、本発明では、通信端末に係る第４の解決手段として、上記第２または第３の解決手段において、前記第２の制御手段は、ＩＰ接続確立後のオンラインコマンドモードにおいて、前記監視対象制御装置から前記第３の拡張ＡＴコマンドが入力された場合に、オンラインモードに遷移し、前記プロトコル変換手段から入力される監視データをＨＴＴＰコマンド「ＰＯＳＴ」によって前記監視サーバに送信することを特徴とする。
【００２７】
また、本発明では、通信端末に係る第５の解決手段として、上記第４の解決手段において、前記第２の制御手段は、ＩＰ接続確立後のオンラインコマンドモードにおいて、前記第３の拡張ＡＴコマンド及び第４の拡張ＡＴコマンドが入力された場合、監視データに前記第４の拡張ＡＴコマンドで指定されるＨＴＴＰヘッダ情報を付加して、前記監視サーバに送信することを特徴とする。
【００２８】
また、本発明では、通信端末に係る第６の解決手段として、上記第１〜第５の解決手段において、前記公衆電話回線網と無線で接続される無線通信端末であることを特徴とする。
【００２９】
また、本発明では、通信端末に係る第７の解決手段として、上記第６の解決手段において、ＰＨＳ(Personal Handyphone System)端末であることを特徴とする。
【発明の効果】
【００３０】
本発明によれば、低コスト且つ監視対象装置の変更に対して柔軟性の高い遠隔監視制御システム、監視対象制御装置及び通信端末を提供することが可能である。
【発明を実施するための最良の形態】
【００３１】
以下、図面を参照して本発明の一実施形態について詳細に説明する。図１は、本実施形態における遠隔監視制御システムの概略構成図である。この図１において、符号１は自動販売機（監視対象装置）、２は監視対象制御装置、３はＰＨＳ(Personal Handyphone System)端末（通信端末）、４はＰＨＳ基地局、５は公衆ＰＨＳ網（公衆電話回線網）、６はＩＳＰ(Internet Services Provider)サーバ、７はインターネット（ＩＰ網）、８は監視サーバ、９は監視サーバアクセス端末である。なお、説明の便宜上、図１では監視対象制御装置２及びＰＨＳ端末３が自動販売機１の外部に設けられているように記載しているが、実際にはこれら監視対象制御装置２及びＰＨＳ端末３は自動販売機１の内部に設けられても良いし、外部に設けられても良い。
【００３２】
自動販売機１は、監視対象制御装置２の制御の下、例えば商品の在庫数や売り上げ金額、つり銭の残金等の管理情報を無手順で監視対象制御装置２に出力する。ここで、無手順とは、例えば「商品Ａ  在庫数５」という文字列データからなる管理情報があった場合、この文字列データに一切の信号処理を施すことなく平文で出力することを指す。
【００３３】
監視対象制御装置２は、図２に示すように、情報管理部２a、回線接続制御部２b（第１の制御手段）、接続情報記憶部２c（接続情報記憶手段）を備えている。情報管理部２aは、自動販売機１から取得した管理情報を管理すると共に、管理情報の履歴や集計結果などに基づいて所定の監視データを生成し、回線接続制御部２bに対して監視サーバ８への回線接続の要求と監視データの送信を要求する。具体的には、情報管理部２aは、例えば「商品Ａ」の在庫数が「０」になった場合、「商品Ａ  在庫切れ」という文字列からなる監視データを生成し、また、例えば「つり銭」の残金が「０」になった場合、「つり銭切れ」という文字列からなる監視データを生成する。
【００３４】
回線接続制御部２bは、情報管理部２aからの回線接続要求に応じて、ＰＨＳ端末３（具体的には制御部３a）にＡＴコマンドを出力してＰＨＳ端末３の通信動作を制御することにより、監視サーバ８との回線接続を行う。具体的には、回路接続制御部２bは、ＰＨＳ端末３を制御して、公衆ＰＨＳ網５との電話回線接続、ＩＳＰサーバ６とのＰＰＰ（Point-to-Point Protocol）接続、監視サーバ８とのＩＰ接続を行う。また、この回線接続制御部２bは、監視サーバ８とのＩＰ接続が完了した後、情報管理部２aが生成した監視データを無手順でＰＨＳ端末３（具体的にはプロトコル変換部３b）に出力する。接続情報記憶部２cは、監視対象装置に対応する接続先の監視サーバ８のＩＰアドレス及びポート番号を、監視対象装置の種類に応じて予め記憶している。この接続情報記憶部２cについての詳細は後述する。
【００３５】
ＰＨＳ端末３は、ＰＨＳ基地局４を介して公衆ＰＨＳ網５と無線通信接続が可能な端末であり、図２に示すように、制御部３a（第２の制御手段）、プロトコル変換部３b（プロトコル変換手段）及び無線通信部３c（通信手段）備えている。制御部３aは、監視対象制御装置２の回線接続制御部２bから入力されるＡＴコマンドに基づいて無線通信部３cを制御することにより、監視サーバ８との回線接続の確立やプロトコル変換部３bによってプロトコル変換された監視データの送信を行う。プロトコル変換部３bは、回線接続制御部２bから入力される無手順の監視データを、ＴＣＰ／ＩＰプロトコル群に準拠したデータに変換して制御部３aに出力する。無線通信部３cは、制御部３aの制御の下、所定の通信方式、例えば時分割多重接続方式（ＴＤＭＡ）等を使用して、ＰＨＳ基地局４との無線通信を行う。なお、このＰＨＳ端末３は、少なくともＰＰＰ、ＴＣＰ／ＩＰ、ＨＴＴＰ(Hyper Text Transfer Protocol)の３つのプロトコルに対応する機能を有している。
【００３６】
ＰＨＳ基地局４は、公衆ＰＨＳ網５に接続されたＰＨＳ専用基地局である。公衆ＰＨＳ網５は、図示しない交換局や基地制御局などを備えた公衆電話回線網である。ＩＳＰサーバ６は、ＰＨＳ端末３のアクセスポイントとなる、所定のインターネットサービスプロバイダのサーバであり、公衆ＰＨＳ網５とインターネット７とを接続する中継装置としての機能を備えている。インターネット７は、ＴＣＰ／ＩＰを通信プロトコルとするネットワークである。監視サーバ８は、インターネット７に接続されたＷｅｂサーバであり、インターネット７を介してＰＨＳ端末３から取得した監視データを保存して管理したり、管理している監視データを監視サーバアクセス端末９に提供するための掲示板機能などを備える。監視サーバアクセス端末９は、監視サーバ８の掲示板機能を利用して監視データを閲覧するための管理者用の端末である。本遠隔監視制御システムの管理者は、この監視サーバアクセス端末９を介して、例えば「商品Ａ  在庫切れ」という監視データを閲覧することによって、自動販売機１に商品Ａを補充するなどの作業を行う。ここで、管理者とは、監視サーバ８に監視サーバアクセス端末９を介してアクセスできる権利を有する者である。また、監視サーバ８内には監視データの他、商品情報や在庫管理情報などが保存されているため、通常はパスワードなどによりアクセス権を有する者にアクセスが限定される。
【００３７】
また、監視サーバアクセス端末９は、監視サーバ８から監視データなどの情報を閲覧する機能の他、管理者による操作入力によって、監視サーバ８を介して制御情報を監視対象制御装置２に送信する機能を有している。この制御情報として、監視対象装置の種類に応じた接続先の監視サーバ８のＩＰアドレス及びポート番号を送信することも可能である。
つまり、監視対象制御装置２の回線接続制御部２bは、ＰＨＳ端末３を介して取得した上記の監視対象装置の種類に応じた接続先の監視サーバ８のＩＰアドレス及びポート番号を、
接続情報記憶部２cに記憶する機能を有している。従って、予め接続情報記憶部２cに記憶している接続先の監視サーバ８のＩＰアドレス及びポート番号の変更または追加を行う場合、監視サーバアクセス端末９から新たなＩＰアドレス及びポート番号を送信することで、接続情報記憶部２cの記憶内容を容易に更新することができる。
【００３８】
図３（a）は、監視対象制御装置２の回線接続制御部２bが使用するＡＴコマンドの一覧であり、図３（b）は、ＰＨＳ端末３におけるＡＴコマンドによる動作モード遷移図である。図３（a）に示すように、本実施形態では、「ATD[電話番号]」、「ATA」、「＋＋＋」、「ATO」、「ATH」などの周知の汎用ＡＴコマンドに加えて、新規の拡張ＡＴコマンド「ATIPCONNECT[接続先IPアドレス][接続先ポート番号]」、「ATIPCLOSE[接続先ＩＰアドレス][接続先ポート番号]」、「ATHTTPPOST」、「ATHTTPGET」、「ATSETHTTPHEADER[設定データ]」、「ATREADHTTPHEADER」、「ATD[電話番号][接続先IPアドレス][接続先ポート番号][遷移先モード]」を使用する。なお、図３（a）に示す汎用ＡＴコマンドは、ＰＨＳ端末３の動作を説明する上で必要なものを例示しただけであり、必要に応じて他の汎用ＡＴコマンドを使用しても良い。
【００３９】
汎用ＡＴコマンドである「ATD[電話番号]」は、ＰＨＳ端末３に対して電話番号で指定される相手先に発信を指示するためのコマンドである。ここで、指定される電話番号は、アクセスポイントであるＩＳＰサーバ６の電話番号である。つまり、回線接続制御部２bの内部メモリ（図示せず）には、アクセスポイントであるＩＳＰサーバ６の電話番号が予め記憶されている。「ATA」は、ＰＨＳ端末３に対して着信応答を指示するためのコマンドである。「＋＋＋」は、ＰＨＳ端末３に対して後述するオンラインモードからオンラインコマンドモードに遷移することを指示するためのコマンドである。「ATO」は、ＰＨＳ端末３に対してオンラインコマンドモードからオンラインモードに遷移することを指示するためのコマンドである。「ATH」は、ＰＨＳ端末３に対してオンラインコマンドモードからコマンドモードに遷移することを指示するためのコマンドである。
【００４０】
新規の拡張ＡＴコマンドの内、「ATIPCONNECT[接続先IPアドレス][接続先ポート番号]」は、ＰＨＳ端末３に対して、接続先IPアドレス及び接続先ポート番号によって指定されるサーバとＩＰ接続を確立することを指示するためのコマンドである。ここで、指定される接続先IPアドレス及び接続先ポート番号は、監視サーバ８のIPアドレス及びポート番号である。このようなＩＰ接続の相手先となるサーバのIPアドレス及びポート番号は、図４に示すように監視対象装置の種類毎に予め設定され、接続情報記憶部３cに記憶されている。つまり、自動販売機１には監視サーバ８のIPアドレス及びポート番号が設定され、ガスメータにはガスの管理センターに設置されているサーバのIPアドレス及びポート番号が設定され、水道メータには水道の管理センターに設置されているサーバのIPアドレス及びポート番号が設定されている。回線接続制御部２bは、監視対象装置の種類に応じて、図４に示すような接続情報記憶部２cに記憶されている接続情報テーブルからＩＰ接続の相手先となるサーバのIPアドレス及びポート番号を読み出し、拡張ＡＴコマンドの「ATIPCONNECT[接続先IPアドレス][接続先ポート番号]」に付与してＰＨＳ端末３に出力する。なお、上述したように、接続情報記憶部２cに記憶されている接続情報テーブルは、監視サーバアクセス端末９からＩＰアドレス及びポート番号を送信することによって、更新可能である。
【００４１】
例えば、回線接続制御部２bに、監視対象装置の種類を選択するディップスイッチを設け、このディップスイッチによって自動販売機１を選択した場合、接続情報記憶部２cから監視サーバ８のIPアドレス及びポート番号が読み出され、また、このディップスイッチによってガスメータを選択した場合、接続情報記憶部２cからガスの管理センターに設置されているサーバのIPアドレス及びポート番号が読み出されるようにする。このように、予め監視対象装置の種類毎にＩＰ接続の相手先となるサーバのIPアドレス及びポート番号を記憶しておき、ディップスイッチなどで任意にIPアドレス及びポート番号を読み出せるようにすることにより、監視対象装置が変わり、監視データを送信すべきセンター側のサーバも変わった場合であっても、接続情報記憶部２cに記憶されている接続情報テーブルのIPアドレス及びポート番号をわざわざ書き換える必要がなく、監視対象装置及びセンター側サーバの変更に対して柔軟に対応することが可能になる。また、接続情報記憶部２cの接続情報テーブルに希望のIPアドレス及びポート番号が記憶されていない場合でも、監視サーバアクセス端末９からＩＰアドレス及びポート番号を送信することで、
遠隔制御により容易に接続情報テーブルを更新することができる。
【００４２】
拡張ＡＴコマンドの「ATIPCLOSE[接続先ＩＰアドレス][接続先ポート番号]」は、ＰＨＳ端末３に対して、ＩＰ接続中のサーバと回線を切断することを指示するためのコマンドである。「ATHTTPPOST」は、ＰＨＳ端末３に対して、オンラインコマンドモードからオンラインモードに遷移させ、それ以降のオンラインモードで取得した監視データは全てＨＴＴＰコマンドの「POST」を使用して監視サーバ８に送信することを指示するためのコマンドである。ここで、ＨＴＴＰコマンドの「POST」とは、指定した監視サーバ８の所定のＵＲＬ(Uniform Resource Locator)にデータ（ここでは監視データ）を登録するためのＨＴＴＰに準拠したコマンドである。
【００４３】
「ATHTTPGET」は、ＰＨＳ端末３に対して、オンラインコマンドモードからオンラインモードに遷移させ、それ以降のオンラインモードではＨＴＴＰコマンドの「GET」を使用して監視サーバ８からデータを取得することを指示するためのコマンドである。ここで、ＨＴＴＰコマンドの「GET」とは、指定した監視サーバ８の所定のＵＲＬに保存されているデータを取得するためのＨＴＴＰに準拠したコマンドである。「ATSETHTTPHEADER[設定データ]」は、ＨＴＴＰコマンドの「POST」でデータを送信する場合に付加するＨＴＴＰヘッダ情報を指定するためのコマンドである。例えば、「設定データ」には文字サイズやフォントなどをＨＴＴＰヘッダ情報として記述する。「ATREADHTTPHEADER」は、ＨＴＴＰコマンドの「GET」で取得したデータからＨＴＴＰヘッダ情報のみを読み出すためのコマンドである。「ATD[電話番号][接続先IPアドレス][接続先ポート番号][遷移先モード]」は、汎用ＡＴコマンドである「ATD」の拡張コマンドであり、「遷移先モード」をオンラインコマンドモードと指定することにより、コマンドモードからオンラインモードを介さずにオンラインコマンドモードに遷移させ、また、このコマンド１つで監視サーバ８へのＩＰ接続を確立するためのコマンドである。
【００４４】
図３（b）に示すように、ＰＨＳ端末３（具体的には制御部３a）は、上述したＡＴコマンドによってコマンドモード、オンラインモード、オンラインコマンドモードの３つの動作モードを遷移する。コマンドモードとは、いわゆる待ち受け状態であり、ＡＴコマンドの入力を待ち、入力されたＡＴコマンドを解釈して実行するモードである。オンラインモードとは、回線接続が確立され、データの送受信が可能なモードであり、汎用ＡＴコマンドである「ATD」、「ATA」、または拡張ＡＴコマンドである「ATD[電話番号][接続先IPアドレス][接続先ポート番号][遷移先モード]」によってコマンドモードから遷移する。また、汎用ＡＴコマンドである「ATD」によってオンラインモードに遷移する場合、ＩＳＰサーバ６とのＰＰＰ接続の確立までしか行われないが、拡張ＡＴコマンドである「ATD[電話番号][接続先IPアドレス][接続先ポート番号][遷移先モード]」によって遷移する場合は、監視サーバ８とのＩＰ接続の確立まで行われる。なお、オンラインモードでは、ＡＴコマンドを解釈できず（エスケープコードである「＋＋＋」のみ解釈可能）、仮にＡＴコマンドが入力されてもＡＴコマンド自体を送信するのみである。
【００４５】
オンラインコマンドモードとは、回線接続が維持されつつＡＴコマンドを解釈可能なモードであり、汎用ＡＴコマンドである「＋＋＋」によってオンラインモードから遷移するか、または拡張ＡＴコマンドである「ATD[電話番号][接続先IPアドレス][接続先ポート番号][遷移先モード]」によってコマンドモードから遷移する。また、汎用ＡＴコマンドである「＋＋＋」によってオンラインコマンドモードに遷移した場合、拡張ＡＴコマンドの「ATIPCONNECT[接続先IPアドレス][接続先ポート番号]」の入力によって監視サーバ８とのＩＰ接続の確立が行われる。このオンラインコマンドモード時において、汎用ＡＴコマンドの「ATH」が入力されることによりコマンドモードに遷移し、拡張ＡＴコマンドの「ATHTTPPOST」または「ATHTTPGET」が入力されることによりオンラインモードに遷移する。
【００４６】
次に、上記のように構成された本遠隔監視制御システムの動作について図５のシーケンスチャートを用いて説明する。なお、ＰＨＳ端末３の初期状態はコマンドモードとする。
また、監視対象制御装置２の回路接続制御部２bに設けられたディップスイッチによって、監視対象装置の種類は自動販売機１が選択されているものとする。
【００４７】
まず、自動販売機１は、例えば「商品Ａ  在庫数０」という文字列データの管理情報を、監視対象制御装置２の情報管理部２aに無手順で出力する（ステップＳ１）。情報管理部２aは、自動販売機１から取得した管理情報から「商品Ａ」の在庫が切れたことを検出する（ステップＳ２）と、「商品Ａ  在庫切れ」という文字列からなる監視データを生成し（ステップＳ３）、回線接続制御部２bに対して監視サーバ８への回線接続の要求と監視データの送信を要求する。
【００４８】
回線接続制御部２bは、上記のように回線接続の要求及び監視データの送信要求を受けると、内部メモリからＩＳＰサーバ６の電話番号を読み出し、汎用ＡＴコマンドである「ATD[電話番号]」をＰＨＳ端末３の制御部３aに出力する（ステップＳ４）。ＰＨＳ端末３の制御部３aは、「ATD[電話番号]」に従って無線通信部３cを制御してＰＨＳ基地局４に対して発信を行い、最初にＰＨＳ基地局４との無線接続を確立し（ステップＳ５）、次に公衆ＰＨＳ網５との電話回線接続を確立する（ステップＳ６）。
【００４９】
そして、制御部３aは、公衆ＰＨＳ網５との電話回線接続が確立したことを示す応答コマンドを監視対象制御装置２の回線接続制御部２bに出力する（ステップＳ７）。回線接続制御部２bは、上記の応答コマンドを受けると、ＰＨＳ端末３の制御部３aに対してＩＳＰサーバ６とのＰＰＰ接続要求を出力する（ステップＳ８）。制御部３aは、無線通信部３cを介してユーザ認証処理やＩＰアドレスの割り当てなどのネゴシエーションを行うことにより、ＩＳＰサーバ６とのＰＰＰ接続を確立する（ステップＳ９）。これにより、ＰＨＳ端末３はインターネット７との通信が可能となる。制御部３aは、ＩＳＰサーバ６とのＰＰＰ接続が確立すると、データ通信可能状態であるオンラインモードに遷移する（ステップＳ１０）。なお、ステップＳ７及びＳ８の処理を省略し、ステップＳ６の電話回線接続処理とステップＳ９のＰＰＰ接続処理とを連続的に行っても良い。
【００５０】
次に、回線接続制御部２bは、ＰＨＳ端末３の制御部３aに汎用ＡＴコマンド「＋＋＋」を出力し（ステップＳ１１）、制御部３aはオンラインコマンドモードに遷移する（ステップＳ１２）。そして、回路接続制御部２bは、接続情報記憶部２cから監視サーバ８のIPアドレス及びポート番号を読み出し、制御部３aに拡張ＡＴコマンドの「ATIPCONNECT[接続先IPアドレス][接続先ポート番号]」を出力する（ステップＳ１３）。
制御部３aは、無線通信部３cを制御し、ＩＳＰサーバ６を介して接続先IPアドレス及び接続先ポート番号が指定するサーバ、つまり監視サーバ８とＩＰ接続に関わるネゴシエーションを行い、監視サーバ８とのＩＰ接続を確立する（ステップＳ１４）。
【００５１】
回路接続制御部２bは、監視サーバ８とのＩＰ接続が確立すると、例えば文字サイズなどをＨＴＴＰヘッダ情報の設定データとし、拡張ＡＴコマンドの「ATSETHTTPHEADER[設定データ]」を制御部３aに出力する（ステップＳ１５）。続いて、回路接続制御部２bは、拡張ＡＴコマンドの「ATHTTPPOST」を制御部３aに出力し（ステップＳ１６）、制御部３aは、「ATHTTPPOST」に従って、オンラインモードに遷移する（ステップＳ１７）。
【００５２】
そして、回線接続制御部２bは、監視データの「商品Ａ  在庫切れ」をプロトコル変換部３bに無手順で出力する（ステップＳ１８）。プロトコル変換部３bは、上記の監視データをＴＣＰ／ＩＰプロトコル群に準拠した監視データに変換して制御部３aに出力する（ステップＳ１９）。そして、制御部３aは、プロトコル変換後の監視データにＨＴＴＰヘッダ情報を付加し（ステップＳ２０）、ＨＴＴＰコマンドの「POST」を用いて、監視サーバ８の所定のＵＲＬに監視データを送信する（ステップＳ２１）。監視サーバ８は、ＨＴＴＰコマンドの「POST」に従って、受信した監視データを指定されたＵＲＬに保存する（ステップＳ２２）。そして、本遠隔監視制御システムの管理者は、監視サーバアクセス端末９を介して、「商品Ａ  在庫切れ」という監視データを閲覧することによって、自動販売機１に商品Ａを補充するなどの作業を行う。
【００５３】
以上のように、本遠隔監視制御システムによれば、監視対象装置の管理者が専用のＷｅｂサーバなどのセンター設備を構築する必要がなく、一般のプロバイダが提供するＷｅｂサーバサービスを利用するだけでシステム運用が可能となり、センター設備の構築工数・コスト、維持管理コストを大幅に低減することができる。また、センター設備の管理者の変更・追加も容易となる。また、上述した商品の在庫情報などを既存のインターネット上の掲示板を利用して閲覧することができ、監視対象装置の監視・管理が容易となる。
【００５４】
さらに、監視対象装置が例えば自動販売機１からガスメータに変更になった場合でも、
ディップスイッチを切り替えて（つまり接続先のIPアドレス及びポート番号を切り替えて）、ガスメータの管理センターのサーバにＩＰ接続することができるので、監視対象装置及びセンター側サーバの変更に対して柔軟に対応することができる。また、監視対象装置の種類は、自動販売機１やガスメータ、水道メータに限らず、セキュリティ機器やその他の計測機器などにも対応できる。
【００５５】
なお、上記実施形態では、回路接続制御部２bに設けたディップスイッチを切り替えることによって、接続先のIPアドレス及びポート番号を切り替えるようにしたが、これに限定されず、例えば監視対象装置から識別信号を出力し、その識別信号から回路接続制御部２bが監視対象装置の種類を認識して接続先のIPアドレス及びポート番号を切り替えるようにしても良い。
【００５６】
また、上記実施形態では、ＰＨＳ端末３を汎用ＡＴコマンド「ATD」によってコマンドモードからオンラインモードに遷移させ、「＋＋＋」によってオンラインモードからオンラインコマンドモードに遷移させる場合を例示して説明したが、拡張ＡＴコマンドの「ATD[電話番号][接続先IPアドレス][接続先ポート番号][遷移先モード]」によってＩＰ接続確立までを行い、コマンドモードからオンラインモードまたはオンラインコマンドモードに遷移させるようにしても良い。また、拡張ＡＴコマンドの「ATHTTPGET」、「ATREADHTTPHEADER」を用いて、監視サーバ８側からデータを取得しても良い。
【００５７】
また、上記実施形態では、通信端末としてＰＨＳ端末３を例示して説明したが、これに限定されず、携帯電話機やＩＳＤＮ(Integrated Service Digital Network)回線などの有線で電話回線に接続されているモデムなどを通信端末として使用しても良い。また、上記実施形態では、ＰＨＳ端末３を制御するコマンドとしてＡＴコマンドを用いたが、これに限定されず、ＡＴコマンドに類するコマンド、つまりモデムやターミナルアダプタなどを制御するのに使用される他のコマンドを用いても良い。さらに、ＴＣＰ／ＩＰプロトコル群として、ＵＤＰ(User Datagram Protocol)／ＩＰを使用しても良い。
【図面の簡単な説明】
【００５８】
【図１】本発明の一実施形態における遠隔監視制御システムの構成概略図である。
【図２】本発明の一実施形態における監視対象制御装置２及びＰＨＳ端末３の詳細構成図である。
【図３】本発明の一実施形態における監視対象制御装置２が使用する汎用ＡＴコマンド及び拡張ＡＴコマンドの一覧及びＰＨＳ端末３の動作モードの説明図である。
【図４】本発明の一実施形態における接続情報記憶部２cの記憶内容の一例である。
【図５】本発明の一実施形態における遠隔監視制御システムの動作を示すシーケンスチャートである。
【符号の説明】
【００５９】
１…自動販売機（監視対象装置）、２…監視対象制御装置、２a…情報管理部、２b…回線接続制御部（第１の制御手段）、２c…接続情報記憶部（接続情報記憶手段）、３…ＰＨＳ(Personal Handyphone System)端末（通信端末）、３a…制御部（第２の制御手段）、３b…プロトコル変換部（プロトコル変換手段）、３c…無線通信部（通信手段）、４…ＰＨＳ基地局、５…公衆ＰＨＳ網（公衆電話回線網）、６…ＩＳＰ(Internet Services Provider)サーバ、７…インターネット（ＩＰ網）、８…監視サーバ、９…監視サーバアクセス端末
【図１】
2008136053.tif 000003
【図２】
2008136053.tif 000004
【図３】
2008136053.tif 000005
【図４】
2008136053.tif 000006
【図５】
2008136053.tif 000007